(57)【特許請求の範囲】
【請求項１】
遊技場全体を異なる位置から撮像可能に設置され、必要に応じて任意箇所をズーム状態で撮像可能な複数の撮像手段と、
遊技場を照明する照明部材と、
遊技場内に設置された多数の遊技機にそれぞれ設けられ、それぞれの遊技機の異常状態を検出する第１検出手段からの検出信号に基づいて異常状態の遊技機を特定するモニター信号を出力するモニター制御手段と、
モニター制御手段からのモニター信号に基づいて異常状態の遊技機に対応する撮像手段を動作させ、必要に応じて異常箇所をズーム状態で撮像して画像データを転送する撮像制御手段と、
撮像制御手段から転送される画像データを表示すると共に記録及び再生が可能な第１モニター手段と、
これらモニター制御手段、撮像制御手段及び第１モニター手段を制御する主制御手段と
からなる監視システムにおいて、
遊技場の異常状態を検出する第２検出手段と、
照明部材を点灯させる照明制御手段と、
照明部材の電源ＯＦＦ時に遊技場を異なる位置から撮像可能で、必要に応じて任意箇所をズーム状態で撮像可能な複数の暗視撮像手段と、
それぞれの暗視撮像手段から転送される画像データを表示すると共に記録及び再生が可能な第２モニター手段と、
第２検出手段が遊技場の異常状態を検出した際に照明制御手段、各撮像手段、モニター制御手段、撮像制御手段、第１モニター手段及び主制御手段の電源をそれぞれＯＮ作動させる副制御手段とを付加し、
主制御装置は照明部材の点灯状態においてそれぞれの撮像手段により遊技場を撮像して監視し、この状態にて第１検出手段から検出信号が入力された際にはモニター制御手段により特定された撮像手段を駆動制御して画像データを第１モニター手段に記録させる一方、
副制御手段は照明部材の消灯時に、それぞれの暗視撮像手段を作動して第２モニター手段に画像データを記録させて暗視監視し、この状態にて第２検出手段から検出信号が入力された際には暗視監視に加えて照明制御手段により照明部材を点灯させると共に第１モニター手段、モニター制御主段、撮像制御手段及び主制御手段の電源を所要の時間、ＯＮ作動させて各撮像手段による撮像を可能にした
監視システム。
【請求項２】
請求項１において、副制御手段は第２検出手段が異常状態を検出したとき、警報手段を作動可能にした監視システム。
【請求項３】
請求項２において、警報手段は警報音出力部材からなる監視システム。
【請求項４】
請求項２において、警報手段は管理者に警報情報を転送する情報転送装置からなる監視システム。
【請求項５】
請求項２において、警報手段は第１及び第２モニター手段に記憶された画像データを管理者に転送する画像転送装置からなる監視システム。
【発明の詳細な説明】
【０００１】
【発明の属する技術分野】
この発明は、夜間監視システムに関する。
【０００２】
【発明が解決しようとする課題】
パチンコホール等の遊技場においては、例えば特開平５−１６１７５１号公報に示すように複数台を一単位としたパチンコ機等の遊技機からなる端末装置群の各群に対応し、かつ対応する端末装置群の全体を異なる位置から撮像できるように設置され、必要に応じて対応する群に属する任意の端末装置及びその周辺をズームイン状態で撮像できるように構成された複数の撮像手段と、前記集中管理装置に設けられ、端末装置での異常状態を検出したときに当該端末装置を特定可能な装置情報を含むモニタ命令を自動発生する制御手段と、この制御手段から前記モニタ命令が発せられたときに、前記端末装置群に対応した複数の撮像手段のうち上記モニタ命令に含まれる装置情報により特定される端末装置に予め割り当てられたものを動作させて当該端末装置及びその周辺をズームイン状態で撮像させると共に、その撮像に応じた画像信号を送出する撮像手段制御装置と、この撮像手段制御装置からの画像信号を再生するモニタ装置とを備え、前記撮像手段制御装置は、前記制御手段からモニタ命令が発せられたときに、そのモニタ命令に含まれる装置情報により特定される端末装置に予め割り当てられた撮像手段が既に動作中であった場合には、他の撮像手段を動作させて当該端末装置及びその周辺をズームイン状態で撮像させると共に、その撮像に応じた画像信号を送出するように構成した遊技場の監視システムが提案されている。
【０００３】
上記した従来の監視システムは、遊技場の営業時間中に発生する不正行為を監視することを主目的としているが、休日、夜間等の遊技場の営業時間外においては照明設備が電源ＯＦＦにされているため、上記した監視システムの撮像手段（ビデオカメラ）では夜間における不正侵入等の異常状態を監視できなかった。
【０００４】
この欠点は、上記した監視システムの撮像手段を暗視カメラ、赤外線カメラ等のように暗視撮像可能な撮像手段と交換することにより解決し得るが、この場合にあっては、上記の撮像手段により営業時間内の監視も行う必要があるため、撮像手段を２４時間の間、連続して駆動しなければならなかった。このため、撮像手段としては極めて高い耐久性を備えた高価格のものを使用しなければならず、監視システムの高コスト化を招いていた。
【０００５】
本発明は、上記した従来の欠点を解決するために発明されたものであり、その課題とする処は、既存の昼間用の監視システムを利用して夜間監視を低コストで有効に行うことができる夜間監視システムを提供することにある。
【０００６】
【課題を解決するための手段】
このため本発明は、遊技場全体を異なる位置から撮像可能に設置され、必要に応じて任意箇所をズーム状態で撮像可能な複数の撮像手段と、遊技場を照明する照明部材と、遊技場内に設置された多数の遊技機にそれぞれ設けられ、それぞれの遊技機の異常状態を検出する第１検出手段からの検出信号に基づいて異常状態の遊技機を特定するモニター信号を出力するモニター制御手段と、モニター制御手段からのモニター信号に基づいて異常状態の遊技機に対応する撮像手段を動作させ、必要に応じて異常箇所をズーム状態で撮像して画像データを転送する撮像制御手段と、撮像制御手段から転送される画像データを表示すると共に記録及び再生が可能な第１モニター手段と、これらモニター制御手段、撮像制御手段及び第１モニター手段を制御する主制御手段とからなる監視システムにおいて、遊技場の異常状態を検出する第２検出手段と、照明部材を点灯させる照明制御手段と、照明部材の電源ＯＦＦ時に遊技場を異なる位置から撮像可能で、必要に応じて任意箇所をズーム状態で撮像可能な複数の暗視撮像手段と、それぞれの暗視撮像手段から転送される画像データを表示すると共に記録及び再生が可能な第２モニター手段と、第２検出手段が遊技場の異常状態を検出した際に照明制御手段、各撮像手段、モニター制御手段、撮像制御手段、第１モニター手段及び主制御手段の電源をそれぞれＯＮ作動させる副制御手段とを付加し、主制御装置は照明部材の点灯状態においてそれぞれの撮像手段により遊技場を撮像して監視し、この状態にて第１検出手段から検出信号が入力された際にはモニター制御手段により特定された撮像手段を駆動制御して画像データを第１モニター手段に記録させる一方、副制御手段は照明部材の消灯時に、それぞれの暗視撮像手段を作動して第２モニター手段に画像データを記録させて暗視監視し、この状態にて第２検出手段から検出信号が入力された際には暗視監視に加えて照明制御手段により照明部材を点灯させると共に第１モニター手段、モニター制御主段、撮像制御手段及び主制御手段の電源を所要の時間、ＯＮ作動させて各撮像手段による撮像を可能にして監視システムを構成する。
【０００７】
そして主制御装置は照明部材の点灯時に、それぞれの撮像手段により遊技場内を撮像して監視し、この状態にて第１検出手段から検出信号が入力された際にはモニター制御手段により特定された撮像手段を駆動制御して画像データを第１モニター手段に記録させて監視する。一方、副制御手段は照明部材の消灯時に、それぞれの暗視撮像手段を作動して第２モニター手段に画像データを記録させて暗視監視する。そしてこの状態にて第２検出手段から検出信号が入力された際には照明制御手段により照明部材を点灯させると共に第１モニター手段、モニター制御主段、撮像制御手段及び主制御手段の電源を所要の時間、ＯＮ作動させて撮像手段による撮像を可能化する。
【０００８】
【発明の実施の形態】
以下、本発明の実施の形態を図に従って説明する。
【０００９】
図１は遊技場に適用される監視システムの概略を示す電気的ブロック図の一部である。
【００１０】
図２は第１図に接続される電気的ブロック図の一部である。
【００１１】
図３は第２図に接続される電気的ブロック図の一部である。
【００１２】
本発明が適用される遊技場としてのパチンコホール１内には多数のパチンコ遊技機３1 〜３n 及びパチンコ玉の貸出動作を行う玉貸機５1 〜５n が互いに１対１で対応し、かつ一列状配置の複数台を一単位として多数台配列されている。又、各パチンコ遊技機３1 〜３n の上方には呼出ランプユニット７1 〜７n が配置されている。そして各パチンコ遊技機３1 〜３n 及び各玉貸機５1 〜５n は後述する集中管理装置９との間での信号を授受するように構成されている。
【００１３】
撮像手段としてのテレビカメラ１１１  〜１１ｎ  は一列状に配置された複数台のパチンコ遊技機３１  〜３ｎ  群における両端側に夫々配置されている。各テレビカメラ１１１  〜１１ｎ  はズーム機能を備え、電動架台（図示せず）に取付けられている。該電動架台は夫々のパチンコ遊技機３１  〜３ｎ  に対応して予め設定された位置データに基づいてテレビカメラを後述するモニター信号により特定されたパチンコ遊技機３１  〜３ｎ  に向けるように駆動される。そしてテレビカメラ１１１  〜１１ｎ  はズームバック状態においてパチンコ遊技機３１  〜３ｎ  群の全体を異なる方向から撮像可能に、又ズーミング及び電動架台の駆動に伴ってパチンコ遊技機３１  〜３ｎ  群における特定のパチンコ遊技機３ｋ  （ｋ  は１  ＜ｋ  ≦ｎ  の任意整数）及びその周辺をズームアップ状態で撮像できるように構成されている。尚、テレビカメラ１１１  〜１１ｎ  としては上記したズーム機能のほかにオートフォーカス機能を備えたものであってもよい。
【００１４】
尚、各テレビカメラ１１１  〜１１ｎ  は各パチンコ遊技機３１  〜３ｎ  の外に、パチンコ遊技機３１  〜３ｎ  群が背中合せ状に配列される「島」に設けられ、玉貸機５１  〜５ｎ  から回収した硬貨等を貯めておく金庫、パチンコホール内に設置された各種販売機（何れも図示せず）も撮像できるように構成されている。
【００１５】
夫々のパチンコ遊技機３１  〜３ｎ  には不正行為等の外に該機械の異常状態を夫々検出する各種の第１検出手段１３１  〜１３ｎ  が夫々取付けられ、集中管理装置９へ出力するように構成されている。尚、夫々のパチンコ遊技機３１  〜３ｎ  に第１検出手段１３１  〜１３ｎ  の外にアウト玉数、セーフ玉数、特賞発生回数等の管理データを検出するための管理用検出器（図示せず）を夫々取付け、集中管理装置９へ出力するように構成してもよい。
【００１６】
パチンコホール１内には夜間のホール内に対する不正侵入者、ホールにおけるガラス窓の破壊等のように異常状態を検出する複数の第２検出手段１５１  〜１５ｉ  （ｉ  は１  ＜ｉ  ＜ｎ  の任意整数）が取付けられ、該第２検出手段１５１  〜１５ｉ  からの検出信号を集中管理装置９へ出力するように構成されている。尚、不正侵入者を検出する第２検出手段１５１  〜１５ｉ  としては赤外線センサー、ガラス窓の破壊を検出する第２検出手段１５１  〜１５ｉ  としては振動センサー等が適しているが、これらに限定されるものではなく、公知の各種センサーにより構成すればよい。
【００１７】
又、パチンコホール１内には複数の照明部材１７がその天井面、壁面等に取付けられ、該照明部材１７はテレビカメラ１１１  〜１１ｎ  によるパチンコ遊技機３１  〜３ｎ  を含んだパチンコホール１内全体の撮像が可能な照度で照明する。該照明部材１７は、通常はパチンコホール１の営業時間内に電源が手動でＯＮされるが、夜間、休日等の営業時間外においては電源が手動でＯＦＦされるようになっている。
【００１８】
更に、パチンコホール１にはテレビカメラ１１１  〜１１ｎ  より少ない数の暗視撮像手段１９１  〜１９ｉ  が、パチンコホール１内における通路等の主要箇所を撮像できるように取付けられている。該暗視撮像手段１９１  〜１９ｉ  は、例えば低照度ビデオカメラ、赤外線ビデオカメラ、微光増幅装置を備えた暗視ビデオカメラ等で、必要によりズーム機能及びオートフォーカス機能を備えたものであればよい。
【００１９】
集中管理装置９は昼間監視システムを構成する第１モニター制御手段２３、撮像制御手段２５、第１モニター手段２７及び主制御手段２９と夜間監視システムを構成する照明制御手段３２、第２モニター制御手段３０、暗視撮像制御手段３１、第２モニター手段３３及び副制御手段３５とから構成され、これら昼間監視システム及び夜間監視システムには共通の電源制御手段３７が接続されている。そして該電源制御手段３７は昼間監視モードが選択された際には昼間監視システムの各機器に電源を、又夜間監視モードが選択された際には昼間監視システムの各機器への電源をＯＦＦさせると共に夜間監視システムの各機器への電源を、更に夜間監視モード時において第２検出手段１５１  〜１５ｉ  が異常状態を検出したときには夜間監視システムへの電源ＯＮ状態を保持した状態で昼間監視システムの各機器の電源をＯＮ作動させる。
【００２０】
尚、電源制御手段３７は昼間監視システムを構成する各機器に対して電源を同時に供給する場合のほかに、例えば第１モニター制御手段２３、撮像制御手段２５及び主制御手段２９に対しては同時に電源を供給する一方、照明制御手段２１及び第１モニター手段２７に対しては若干遅延したタイミングで電源を供給するように構成してもよい。
【００２１】
主制御手段２９には昼間監視プログラムデータが記憶されたＲＯＭ３９及び各種のデータを記憶するためのＲＡＭ４１が夫々接続され、ＲＯＭ３９の昼間監視プログラムデータに基づいて第１モニター制御手段２３、撮像制御手段２５及び第１モニター手段２７を夫々監視制御させる。
【００２２】
即ち、主制御手段２９には第１モニター制御手段２３が接続され、該第１モニター制御手段２３は第１検出手段１３１  〜１３ｎ  からの検出信号に基づいて異常状態が発生したパチンコ遊技機３１  〜３ｎ  を特定するためのモニター信号を出力する。主制御手段２９には撮像制御手段２５が接続され、該撮像制御手段２５は第１モニター制御手段２３からのモニター信号に基づいて異常状態が発生したパチンコ遊技機３ｋ  に対応するテレビカメラ１１ｋ  に駆動信号を出力し、電動架台を駆動してテレビカメラ１１ｋ  を特定されたパチンコ遊技機３ｋ  に向けさせると共にズーム機構を作動させて撮像し、テレビカメラ１１ｋ  からの画像データを第１モニター手段２７へ転送させる。
【００２３】
尚、第１モニター制御手段２３は第１検出手段１３１  〜１３ｎ  による異常状態の非検出時にはズームバック状態のテレビカメラ１１１  〜１１ｎ  により夫々のパチンコ遊技機３１  〜３ｎ  を自動的に撮像したり、管理者の操作により選択された任意のテレビカメラ１１１  〜１１ｎ  を特定方向へ向けたり、ズームアップさせたりすることができる。
【００２４】
主制御手段２９には第１モニター手段２７が接続されると共に第１モニター手段２７には各テレビカメラ１１１  〜１１ｎ  に応じて切換え表示可能なコモン表示装置４３、各テレビカメラ１１１  〜１１ｎ  からの画像データを個別に表示する分割表示装置４５及び各テレビカメラ１１１  〜１１ｎ  から転送される画像データを記録及び再生する記録再生装置４７が夫々接続されている。この記録再生装置４７としてはビデオテープレコーダが使用される。
【００２５】
尚、主制御手段２９には各種情報を入力するためのキーボード２６及びデータをプリントするプリンタ２８が接続されている。
【００２６】
副制御手段３５には夜間監視プログラムデータが記憶されたＲＯＭ４９及び各種データが書換え可能なＲＡＭ５１が夫々接続され、ＲＯＭ４９の夜間監視プログラムデータに基づいて第２モニター制御手段３０、暗視撮像制御手段３１、第２モニター手段３３を制御する。
【００２７】
即ち、副制御手段３５には照明制御手段３２が接続され、照明部材１７が手動でＯＦＦ操作された状態の夜間監視モード時に異常状態が発生した際に照明部材１７を点灯制御させる。副制御手段３５には第２モニター制御手段３０が接続され、該第２モニター制御手段３０は第２検出手段１５１  〜１５ｉ  からの検出信号に基づいてパチンコホール１内における異常発生箇所を特定するモニター信号を出力するように構成されている。副制御手段３５には暗視撮像制御手段３１が接続され、該暗視撮像制御手段３１は第２モニター制御手段３０からのモニター信号に基づいて特定された暗視撮像手段１９１  〜１９ｉ  の電動架台及びズーム機構を駆動して撮像された画像データを第２モニター手段３３へ転送する。副制御手段３５には第２モニター手段３３が接続されると共に該第２モニター手段３３には表示装置５３が接続され、暗視撮像手段１９１  〜１９ｉ  により撮像された画像データを表示させる。又、第２モニター手段３３には暗視撮像手段１９１  〜１９ｉ  から転送される画像データを記録及び再生する記録再生装置５５が接続されている。該記録再生装置５５としては記録再生装置４７と同様にビデオテープレコーダが使用される。更に、副制御手段３５にはアラーム制御手段５７が接続され、第２検出手段１５１  〜１５ｉ  により異常状態が検出されて所定の時間が経過した際に、アラーム部材５９を作動させる。アラーム部材５９としてはブザー等の警報音出力装置、又は該警報音出力装置に警察、パチンコホール１の管理者等へ自動的に電話して警報情報を転送する警報情報転送装置、記録再生装置４７・５５に記録された画像データを管理者に転送する画像転送装置等（図示せず）を付加したものであってもよい。尚、夜間監視システムとしては第２モニター制御手段３０、第２モニター手段３３の表示装置５３を除いた構成であってもよい。
【００２８】
上記のように構成された監視システムの動作状態を説明する。
【００２９】
先ず、パチンコホール１の営業時間内における監視動作について説明する。
【００３０】
アラームランプ等により夜間における異常発生の有無を確認し、異常有りの場合には記録再生装置４７及び記録再生装置５５に記録された画像データを再生して確認した後、アラーム制御手段５７をリセットし、次に電源制御手段３７の監視モードを、後述する夜間監視モードから昼間監視モードへ切換える。これにより電源制御手段３７は夜間監視システムを構成する照明制御手段３２、第２モニター制御手段３０、暗視撮像制御手段３１、第２モニター手段３３及び副制御手段３５の電源をＯＦＦ作動させると共に昼間監視システムを構成する第１モニター制御手段２３、撮像制御手段２５、第１モニター手段２７及び主制御手段２９の電源をＯＮ作動させる。そしてパチンコホール１内の照明部材１７を手動でＯＮ操作して点灯させると共にテレビカメラ１１１  〜１１ｎ  によるパチンコホール１内の撮像を開始させる。
【００３１】
上記した昼間監視モードにおいて、例えばｋ番目の３ｋ（１  ＜ｋ  ＜ｎ  ）に、磁石等を使用した不正行為、ガラス扉が開放された状態若しくは閉鎖後の一定時間内に特賞状態に切換わる特賞不正、玉貸機５１  〜５ｎ  の入金額に対して貸出玉数が異常に多くなる玉貸機不正、呼出ランプの非操作状態でガラス扉が開放状態になる扉開放不正等の各種異常状態が発生したとき、主制御手段２９は以下のように監視処理を行う。
【００３２】
即ち、第１モニター制御手段２３はパチンコ遊技機３ｋ  において上記の異常状態が発生し、該異常状態箇所に設けられた第１検出手段１３ｋ  からの検出信号に基づいて異常状態になっているパチンコ遊技機３ｋ  を特定するためのモニター信号を主制御手段２９へ出力する。撮像制御手段２５は主制御手段２９からのモニター信号に基づいて特定された異常箇所に対応するパチンコ機群に向けられている２つのうちの一つのテレビカメラ１１ｋ  へ撮像駆動信号を出力し、その電動架台を駆動してテレビカメラ１１ｋ  を特定されたパチンコ遊技機３ｋ  に向けさせると共にズーム機構を駆動して異常事態が発生しているパチンコ遊技機３ｋ  をズームアップして撮像させる。このとき、指定されたテレビカメラ１１ｋ  が他のパチンコ機を撮像している場合には他方のテレビカメラ１１ｋ−１  （又は１１ｋ＋１  ）を指定して撮像させる。
【００３３】
そして主制御手段２９はテレビカメラ１１ｋ  から転送される画像データを第１モニター手段２７に転送してコモン表示装置４３、分割表示装置４５に表示させると共に記録再生装置４７に記録させる。
【００３４】
これにより操作者はコモン表示装置４３及び分割表示装置４５に表示された画像により対応するパチンコ遊技機３ｋ  における異常状態を確認し、異常状態の場合にはホール従業員に指示すると共に記録された画像データにより異常を確認することができる。
【００３５】
尚、異常状態としては主として遊技客の不正行為による場合、パチンコ機の故障等による場合等があるが、実際には夫々の第１検出手段１３１  〜１３ｋ  からの検出信号に基づいて異常状態を判定すると共に優先順位を設定して対処すればよい。
【００３６】
次に、夜間等の営業時間外における監視処理について説明する。
【００３７】
照明部材１７を手動でＯＦＦ操作して消灯させると共に電源制御手段３７の監視モードを昼間監視モードから夜間監視モードへ切換えると、電源制御手段３７は昼間監視システムを構成する第１モニター制御手段２３、撮像制御手段２５、第１モニター手段２７及び主制御手段２９の各電源をＯＦＦ作動させると共に夜間監視システムを構成する照明制御手段３２、第２モニター手段３０、暗視撮像制御手段３１、第２モニター手段３３及び副制御手段３５の各電源をＯＮ作動させる。これにより暗視撮像手段１９１  〜１９ｉ  による撮像を開始し、その画像データをモニター装置５３に表示させながら記録再生装置５５に記録させる。このとき、記録再生装置４７・５５に夫々セットされたビデオテープの残量が少ない場合には新たな録画テープに交換しておく。
【００３８】
上記した夜間監視モードにおいて副制御手段３５は以下のフローに従ってパチンコホール１における異常状態の監視処理を実行する。尚、説明の都合上、第２検出手段１５１  〜ｎ  の何れかが異常状態を検出してから所定時間Ｔ１  を経過したときに第１モニター制御手段２３、撮像制御手段２５及び主制御手段２９に、又所定時間Ｔ２  を経過したときに第１モニター手段２７に夫々電源を供給すると共に、更に所定時間Ｔ３  （但し、Ｔ１  ＜Ｔ２  ＜Ｔ３  《Ｔとする）を経過したときに照明制御手段２１に点灯制御信号を出力させる。又、第２検出手段１５１  〜１５ｎ  の何れかが異常状態を検出してから所定時間Ｔ４  を経過したときにアラーム制御手段５７を起動させるものとする。
【００３９】
図４は夜間監視モードにおける異常状態の処理を示すフローチャートである。
【００４０】
先ず、夜間監視モードに切換えられると、副制御手段３５はステップ６１において第２検出手段１５１  〜１５ｎ  による異常状態の非検出が、予め設定された所定時間Ｔを経過しているか否かを判定する。今、上記所定時間Ｔが経過していない場合には上記ステップ６１がＮＯになってステップ６３へ移り、該ステップ６３において夫々の第２検出手段１５１  〜１５ｎ  による異常状態の検出（ＯＮ状態）が上記した第１モニター制御手段２３、撮像制御手段２５及び主制御手段２９を起動させるタイミングの所定時間Ｔ１  を経過しているか否かを判定する。第２検出手段１５１  １５ｎ  による異常状態が検出されていない場合にはステップ６３の判定がＮＯになって次のステップ６５へ移り、次に夫々の第２検出手段１５１  〜１５ｎ  による異常状態の検出（ＯＮ状態）が第１モニター手段２７を起動させるタイミングの所定時間Ｔ２  を経過しているか否かを判定する。
【００４１】
パチンコホール１内において不正侵入等の異常状態が発生していない場合には上記ステップ６５の判定がＮＯになり、以後、ステップ６７において夫々の第２検出手段１５１  〜１５ｎ  が異常状態を検出して照明制御手段２１に点灯制御信号を出力するタイミングの所定時間Ｔ３  を、又ステップ６９において夫々の第２検出手段１５１  〜１５ｎ  による異常状態の検出がアラーム制御手段５７を起動させるタイミングの所定時間Ｔ４  を経過しているか否かを順次判定してステップ６１へ戻る。
【００４２】
そして副制御手段３５はステップ６１において夫々の第２検出手段１５１  〜１５ｎ  による異常状態の非検出（ＯＦＦ状態）が、上記した所定時間Ｔ、経過しているか否かを判定する。今、上記した各ステップ６３〜６９における第２検出手段１５１  〜１５ｎ  の異常状態検出が非検出で、かつ所定時間Ｔを経過している場合にはパチンコホール１内において異常状態が全く発生していないため、ステップ６１がＹＥＳになってステップ７１に移って電源制御手段３７の各制御出力１・２、照明制御の制御出力３及びアラーム制御の制御出力４を夫々ＯＦＦ処理してステップ６１へ戻る。この制御出力１〜４のＯＦＦ処理は夜間監視システムに加えて昼間監視システムを構成する各機器に対する電源供給を可能化する制御出力１・２、照明制御の制御出力３及びアラーム制御の制御出力４を夫々ＯＦＦさせる動作であり、副制御手段３５のＲＡＭ５１に設けられた夫々の切換制御フラグ（図示せず）を参照し、該切換制御フラグが“１”の場合には“０”にリセットする処理動作を実行する。
【００４３】
一方、第２検出手段１５１  〜１５ｎ  の何れかがパチンコホール１内の不正侵入者或いはガラス窓等の破損を検出したとき、副制御手段３５はステップ６３において第２検出手段１５１  〜１５ｎ  による異常状態の検出が第１モニター制御手段２３、撮像制御手段２５及び主制御手段２９を起動させるタイミングの所定時間Ｔ１  を経過したか否かを判定する。この場合にあってはステップ６３の判定がＹＥＳになるため、ステップ７３において第１モニター制御手段２３、撮像制御手段２５及び主制御手段２９に電源を供給するための制御出力１をＯＮ処理してステップ６５へ移る。これにより電源制御手段３７は第１モニター制御手段２３、撮像制御手段２５及び主制御手段２９に電源を供給して起動させる。
【００４４】
次に、副制御手段３５はステップ６５において第２検出手段１５１  〜１５ｎ  による異常状態の検出が第１モニター手段２７を起動させるタイミングの所定時間Ｔ２  を経過したか否かを判定し、この判定がＹＥＳの場合にはステップ７５において第１モニター手段２７に電源を供給するための制御出力２をＯＮ処理してステップ６７へ移る。これにより電源制御手段３７は第１モニター手段２７に電源を供給して起動させる。
【００４５】
更に、副制御手段３５はステップ６７において第２検出手段１５１  〜１５ｎ  による異常状態の検出が照明制御手段２１を起動させるタイミングの所定時間Ｔ３  を経過したか否かを判定し、この判定がＹＥＳの場合にはステップ７７において照明制御手段２１に点灯制御信号を出力させる制御出力３をＯＮ処理してステップ６９へ移る。これにより照明制御手段２１は照明部材１７を点灯させる。
【００４６】
又更に、副制御手段３５はステップ６９において第２検出手段１５１  〜１５ｎ  による異常状態の検出がアラーム制御手段５７を起動させるタイミングの所定時間Ｔ４  を経過したか否かを判定し、この判定がＹＥＳの場合にはステップ７９においてアラーム制御手段５７にアラーム信号を出力させるための制御出力４をＯＮ処理してステップ６１へ戻る。これによりアラーム制御手段５７はアラーム部材５９を駆動させる。
【００４７】
これにより夜間監視システムに加えて昼間監視システムを駆動し、各照明部材１７によりパチンコホール１内を明るくさせた状態で第１モニター制御手段２３及び撮像制御手段２５により異常状態が発生している箇所を特定して該箇所の撮像手段１１１  〜１１ｎ  により異常状態を撮像して第１モニター手段３３のコモン表示装置４３、分割表示装置４５に画像データを表示させると共に記録再生装置４７に記録させて監視処理する。
【００４８】
そして第２検出手段１５１  〜１５ｎ  による異常状態の検出がなくなって所定時間Ｔを経過した場合、副制御手段３５は上記したステップ６１及び７１により夫々の制御出力１〜４を夫々ＯＦＦ処理させる。
【００４９】
このように本実施の形態は、夜間等の営業時間外において異常事態が発生した場合には照明部材１７を点灯させると共に夜間監視システムに加えて昼間監視システムの各機器を作動させて監視することができるため、高価な暗視撮像手段１９１  〜１９ｉ  の設置台数を少なくしてもパチンコホール１を有効に、かつ低コストで監視することができる。
【００５０】
又、既存の昼間監視システムに照明制御手段３２、暗視撮像手段１９１  〜１９ｉ  、第２モニター制御手段３０、暗視撮像制御手段３１、第２モニター手段３３及び副制御手段３５を付加することにより夜間監視を有効に行うことができ、夜間監視システムを低コスト化することができる。
【００５２】
又、上記説明は昼間監視システムを構成する第１モニター制御手段２３、撮像制御手段２５、第１モニター手段２７、主制御手段２９と照明制御手段３２及びアラーム制御手段５７を異なるタイミングで駆動させるように制御出力１〜４をＯＮ処理させる構成としたが、これら各手段を同時に駆動させてもよいことは勿論である。
【００５３】
【発明の効果】
このため本発明は、既存の昼間用の監視システムを利用して少ない台数の暗視撮像手段により夜間監視を有効に行い、監視システムを低コスト化することができる。
【図面の簡単な説明】
【図１】遊技場に適用される監視システムの概略を示す電気的ブロック図の一部である。
【図２】図1に接続される電気的ブロック図の一部である。
【図３】図２に接続される電気的ブロック図の一部である。
【図４】夜間監視処理における異常状態処理のフロチャートである。
【符号の説明】
１：遊技場としてのパチンコホール ３1 〜3n：パチンコ遊技機 ９：集中管理装置 １１1 〜11n ：撮像手段としてのテレビカメラ １３1 〜１３n ：第１検出手段 １５1 〜１５i ：第２検出手段 １７：照明部材  １９1 〜１９i ：暗視撮像手段 ２１：照明制御手段 ２３：第１モニター制御手段 ２５：撮像制御手段 ２７：第１モニター手段 ２９：主制御手段 ３０：第２モニター制御手段 ３１：暗視撮像制御手段 ３３：第２モニター手段  ３５：副制御手段
【図１】
0003632715.tif 000002
【図２】
0003632715.tif 000003
【図３】
0003632715.tif 000004
【図４】
0003632715.tif 000005